(57)【要約】【課題】プラスチックシート類やアンチスノープレートを装着する必要がなく、登山歩行過程で煩雑な装着作業を伴わず、耐久性に優れた雪だんご生成防止機能を有するアイゼンを提供することである。【解決手段】複数の爪７、７ａ、および７ｂをそれぞれ設けたフロント装着枠部２およびヒール装着枠部３と、前記装着枠部２、３にスライド可能に保持された連結部材４とを備え、靴寸法に適合するように、ヒール装着枠部３の方をスライドさせてフロント装着部２とヒール装着部３とを連結・固定するアイゼン１で、フロント装着枠部２を、つま先側の枠部材２ａと連結部材４側の枠部材２ｂとを装着枠部２を覆うように可撓性を有する金属板５で連結して形成したのである。前記金属板５が歩行時に撓むため、雪が靴底の金属板５に付着しても、ダンゴ状に成長する前に剥がれ落ち、雪ダンゴの成長を防止できる。【選択図】図１
2007125304.tif 000002
【特許請求の範囲】
【請求項１】
接地方向に複数の爪をそれぞれ設けたフロント装着枠部およびヒール装着枠部と、これらの装着枠部の接地側に設けたガイド部にスライド可能に保持され、複数の通し孔を設けた連結部材とを備え、この連結部材の一端側をフロント装着枠部に係止させ、靴寸法に適合するようにヒール装着枠部と連結部材とを相対的にスライドさせ、前記複数の通し孔の中から最適な通し孔を選択して、フロント装着枠部とヒール装着枠部とを連結・固定するようにしたアイゼンにおいて、前記フロント装着枠部を、分離したつま先側の枠部材と連結部材側の枠部材とを前記装着枠部を覆うように配置した可撓性を有する金属板で連結して形成し、このフロント装着枠部の靴底に接するフロント装着面が歩行時に撓むようにしたことを特徴とするアイゼン。
【請求項２】
接地方向に複数の爪をそれぞれ設けたフロント装着枠部およびヒール装着枠部と、これらの装着枠部の接地側に設けたガイド部にスライド可能に保持され、複数の通し孔を設けた連結部材とを備え、この連結部材の一端側をフロント装着枠部に係止させ、靴寸法に適合するようにヒール装着枠部と連結部材とを相対的にスライドさせ、前記複数の通し孔の中から最適な通し孔を選択して、フロント装着枠部とヒール装着枠部とを連結・固定するようにしたアイゼンにおいて、前記フロント装着枠部を、つま先側の枠部材と連結部材側の枠部材とをこの枠部材の両側面で緩やかに連結して形成し、このフロント装着枠部が歩行時に、前記両側面の連結した部位の周りに可動となるようにしたことを特徴とするアイゼン。
【請求項３】
前記アイゼンを純チタンおよび／またはチタン合金で形成したことを特徴とする請求項１または２のいずれかに記載のアイゼン。
【発明の詳細な説明】
【技術分野】
【０００１】
本発明は、氷雪域への登山に際して、登山靴の底に装着して使用する、靴底への雪ダンゴの付着防止するアンチスノー機能を備えたアイゼンに関する。  
【背景技術】
【０００２】
アイゼンは、周知のように、一般に、雪山や氷壁などの地域への登山に際して、滑落等の事故を防止するために、登山靴の底に装着される。このアイゼンを装着して氷雪上を歩行すると、このアイゼンを装着した靴底に雪が付着して雪ダンゴに成長し、アイゼンの爪が機能しなくなって歩行が困難になり、さらに滑落などの事故を防止できなくなるおそれがあり、大変危険な状態になる。
【０００３】
従来、このような靴底への雪ダンゴの生成を防止するために、例えば、特許文献１では、プラスチックシートやフィルムなどの離水性を有するシート類を、アイゼンの底面全体を覆うように装着し、このプラスチックシートやフィルムの縁をアイゼンフレームの周囲からその上面に折り返して貼着し、固定する雪ダンゴ付着防止シートが開示されている。また、特許文献２では、図５に示すように、ジョイント部材３３およびボルト４５、ナット４６により相互に連接されるフロントスパイク３１およびヒールスパイク３２の縁枠部３１ａ、３２ａに設けた複数の係合部３６、３８に、ゴムまたは合成樹脂等からなる、雪ダンゴ付着防止用のアンチスノープレート３４、３５にそれぞれ設けた複数の被係合部４０、４２を係合し、同様に突縁部４３、４４を縁枠部３１ａ、３２ａの受段部３７、３９に支持させることにより、アンチスノープレート３４、３５をフロントスパイク３１およびヒールスパイク３２に着脱自在に装着できるようにしたアイゼンが開示されている。
【特許文献１】特開平７−８３０６号公報
【特許文献２】特開２０００−１３９５１５号公報
【発明の開示】
【発明が解決しようとする課題】
【０００４】
しかし、特許文献１および特許文献２に開示された、雪ダンゴ付着防止用のプラスチックシートやアンチスノープレートをアイゼンに装着しても、これらのシートやプレートに雪が全く付着しないわけではなく、付着した雪がダンゴ状に成長する前に、通常、登山者はピッケルで付着した雪を払い落とす。その際に、前記プラスチックシートやアンチスノープレートはピッケルにより損傷を受けやすく耐久性が低いため、前記シートやプレートは消耗品となり、損傷の程度に応じて、適宜、新品に装着しなおす必要があり、登山靴を履いたままの登山歩行過程で新品への装着が必要となる場合もある。特許文献１および２に開示されたように、前記シートやプレートのアイゼンへの装着が簡便化されたとはいえ、とくに登山歩行過程での新品への装着は、手間を要し、煩雑な作業となり、また、予備のシートやプレートを携行する必要があり面倒である。
【０００５】
そこで、この発明の課題は、前記プラスチックシート類やアンチスノープレートを装着する必要がなく、登山中に煩雑な装着作業を伴わず、耐久性に優れた雪ダンゴ生成防止機能を有するアイゼンを提供することである。
【課題を解決するための手段】
【０００６】
前記の課題を解決するために、この発明では以下の構成を採用したのである。
【０００７】
即ち、請求項１に係るアイゼンは、接地方向に複数の爪をそれぞれ設けたフロント装着枠部およびヒール装着枠部と、これらの装着枠部の接地側に設けたガイド部にスライド可能に保持され、複数の通し孔を設けた連結部材とを備え、この連結部材の一端側をフロント装着枠部に係止させ、靴寸法に適合するようにヒール装着枠部と連結部材とを相対的にスライドさせ、前記複数の通し孔の中から最適な通し孔を選択して、フロント装着枠部とヒール装着枠部とを連結・固定するようにしたアイゼンにおいて、前記フロント装着枠部を、つま先側の枠部材と連結部材側の枠部材とを前記装着枠部を覆うように配置した可撓性を有する金属板で連結して形成し、このフロント装着部の靴底に接するフロント装着面が歩行時に撓むようにしたことを特徴とする。
【０００８】
このように、可撓性を有する金属板で靴底に接するフロント装着面を形成すれば、歩行時に雪が靴底に接するフロント装着面の接地側面に付着しても、フロント装着面が歩行時に撓むため、付着した雪がダンゴ状に成長する前に剥がれ落ち、雪ダンゴの成長を防止することができる。
【０００９】
請求項２に係るアイゼンは、接地方向に複数の爪をそれぞれ設けたフロント装着枠部およびヒール装着枠部と、これらの装着枠部の接地側に設けたガイド部にスライド可能に保持され、複数の通し孔を設けた連結部材とを備え、この連結部材の一端側をフロント装着枠部に係止させ、靴寸法に適合するようにヒール装着枠部と連結部材とを相対的にスライドさせ、前記複数の通し孔の中から最適な通し孔を選択して、フロント装着枠部とヒール装着枠部とを連結・固定するようにしたアイゼンにおいて、前記フロント装着枠部を、つま先側の枠部材と連結部材側の枠部材とをこの枠部材の両側面で緩やかに連結して形成し、このフロント装着枠部が歩行時に、前記両側面の連結した部位の周りに可動となるようにしたことを特徴とする。
【００１０】
このように、つま先側の枠部材と連結部材側の枠部材とを緩やかに連結して、フロント装着枠部が歩行時に実質的に撓むようにすれば、雪が靴底に付着しても、歩行時にフロント装着枠部とともに靴底も撓むため、付着した雪がダンゴ状に成長する前に剥がれ落ち、雪ダンゴの成長を防止することができる。
【００１１】
請求項３に係るアイゼンは、前記アイゼンを純チタンおよび／またはチタン合金で形成したことを特徴とする。
【００１２】
上記チタン金属で形成されたアイゼンは、従来の鋼製アイゼンに比べて重量が半減し、耐食性に優れ、またアルミ金属製アイゼンに比べて強度特性面で優れ、しかも外観面でも高級感があり、使用者に安心感も与える。
【発明の効果】
【００１３】
この発明では、アイゼンのフロント装着枠部の、つま先側の枠部材と連結部材側の枠部材とを、前記装着枠部を覆うように配置した可撓性を有する金属板で接続することにより、または、つま先側の枠部材と連結部材側の枠部材とをこの枠部材の両側で連結することにより、それぞれ形成するようにしたので、いずれのフロント装着枠部でも、歩行時に雪がフロント装着面の接地側面に付着しても、フロント装着面が撓むため、付着した雪がダンゴ状に成長する前に剥がれ落ち、雪ダンゴの成長を防止することができる。従って、本発明のアイゼンは、雪ダンゴ生成防止用のプラスチックシート類やアンチスノープレートを装着する必要がなく、登山歩行過程で煩雑な装着作業を伴わず、耐久性に優れた雪ダンゴ生成防止機能を有する。
【発明を実施するための最良の形態】
【００１４】
以下に、この発明の実施形態を、添付の図１から図４に基づいて説明する。
【００１５】
図１および図２に示す実施形態のアイゼン１は、登山靴底のつま先部側に装着されるフロント装着枠部２と、踵部側に装着されるヒール装着枠部３と、このフロント装着枠部２とヒール装着枠部３とをその間隔調整を可能に連結する、即ちスライド可能に連結する矩形状の扁平な板材からなる連結部材４とから構成されている。フロント装着枠部２は、図２に示したように、つま先側の枠部材２ａと連結部材４側の枠部材２ｂの、分離した２つの部材と可撓性を有する金属板５とからなり、この２つの枠部材２ａ、２ｂをフロント装着枠部２が形成されるように所要の間隔で配置し、上方からすなわち装着する登山靴側から、前記枠部材２ａ、２ｂを覆うように可撓性を有する金属板５を配置し、この金属板５をリベット６で、前記枠部材２ａおよび２ｂに固定して両枠部材２ａ、２ｂを接続し、所要の大きさのフロント装着枠部２が形成されている。このフロント装着枠部２の前部両側および四隅の接地側に、略逆三角形状の爪部７、７ａが設けられ、前部の両コーナー部には、登山靴への装着バンド８を通すアーム９が上方向に設けられている。また、枠部材２ｂ側の両側の爪部７ａ、７ａには、この爪部７ａ、７ａを補強するための支持片Ｓがそれぞれ取り付けられている。前記つま先側の枠部材２ａは純チタンで形成され、連結部材４側の枠部材２ｂはチタン合金で形成され、金属板５は厚さ０．５〜１ｍｍ程度の、望ましくは厚さ０．６ｍｍ程度のチタン合金で形成されている。なお、前記可撓性を有する金属板５は、下方からすなわち装着する登山靴の反対側から配置して、枠部材２ａ、２ｂに固定し、これらを接続してもよい。また、両枠部材２ａ、２ｂと金属板５とを、リベット６で固定・接続する代わりに、溶接で接続することもできる。
【００１６】
前記ヒール装着枠部３は、踵側にやや狭まり、この踵側が半円形状に形成され、その（四隅の）接地側に爪部７ｂが設けられ、半円形状に形成された踵部にヒール押さえ金具３ｂが設けられている。また、後部両側に、アーム１０、１０が設けられ、このアーム１０、１０の丸穴部にはめ込まれた連結リング１１、１１に、登山靴への装着バンド８ａが掛けられている。そして、ヒール装着枠部３の、半円状に形成された踵側に対向する直線状の枠部３ａの接地側に、連結部材４に長手方向に複数設けた通し孔１２に係合する大きさの軸状の突起１３が設けられている。また、この直線状の枠部３ａの中央には、フロント装着枠部２側に向かって、連結部材４をヒール部材３により確実に固定するために、矩形状の止め具１４をはめ込むための係止板１５が取り付けられている。ヒール装着枠部３および係止板１５は純チタンで形成されている。
【００１７】
前記複数の通し穴１２を設けた連結部材４は、矩形状の板材でチタン合金から形成され、そのフロント装着枠部２側の端部を下方に、すなわち設置側に折り曲げて、ストッパー４ａが形成されている。この連結部材４は、ヒール装着枠部３の直線状の枠部３ａ、およびフロント装着枠部材２の連結部材４側の枠部材２ｂのそれぞれ接地側に設けたガイド部１６および１７に挿通されてスライド可能に保持され、ストッパー４ａが前記枠部材２ｂに当接して、連結部材４の一端側がフロント装着枠部２に係止されるようになっている。図２に示したように、ガイド部１７は、ヒール装着枠部３の直線状の枠部材２ｂの接地側にコ字状に取り付けられ、連結部材４との間に、ヒール装着部３を軸状の突起１３の先端が連結部材４の上面から離れるまで持ち上げてスライドさせ得るように、所要の間隙をもって形成されている。また、フロント装着部材２側のガイド部１６は、連結部材４がスライドできる間隙をもって両側をそれぞれピン１８で、前記枠部材２ｂの接地側に固定されている。なお、前記連結部材４は、チタン金属以外の金属で形成することも可能であるが、軽量で可撓性に優れたチタン合金の薄板から形成することが望ましい。
【００１８】
図３（ａ）に示すように、連結部材４に対してヒール装着枠部３の突起１３を設けた直線状の枠部３ａ側（図１参照）を、突起１３の先端が連結部材４の上面から離れるまで持ち上げ、図１に示した、フロント装着枠部２に設けたアーム９、９、およびヒール装着枠部３に設けたアーム１０、１０に、登山靴がそのサイズに合わせて四箇所で保持できる位置まで、前記ヒール装着部３を相対的にスライドさせる。そして、最適の通し孔１２を選択し、図３（ｂ）に示すように、この選択した通し孔１２に、軸状の突起１３を嵌め込んで、ヒール装着部３が位置決めされ、連結部材４を介してフロント装着枠部２とヒール装着枠部３とが連結・固定される。歩行中に通し孔１２から絶対に抜けないようにするため、前記軸状の突起１３は、図３（ｂ）に示したように、その先端が、少なくとも連結部材４の下面から突出する程度の長さに形成されている。
【００１９】
この発明の実施形態は以上のような構成であり、以下にその作用について説明する。
【００２０】
前記フロント装着枠部２は、可撓性を有する金属板５で接続されてフロント装着面Ｆが形成されているため、アイゼン１を登山靴に装着して歩行するときに、フロント装着枠部２が撓んで、雪が靴底に接するフロント装着面Ｆの接地側面に付着しても、フロント装着面が歩行時に撓むため、付着した雪がダンゴ状に成長する前に剥がれ落ち、雪ダンゴの成長を防止することができる。また、上述のように、フロント装着枠部２が撓むことにより、従来のプラスチックシートやアンチスノープレートを装着する型式のアイゼンに比べて、歩行がしやすく、登山中の足の疲れも軽減される。さらに、図３（ａ）、（ｂ）に示したように、ヒール装着枠部３の直線状の枠部３ａに設けた突起１３を、連結部材４に設けた通し孔１４に嵌め込んで係合させる簡単な操作で、フロント装着枠部２とヒール装着枠部３との間隔を登山靴のサイズに適合するように連結・固定することができため、アイゼンの装着性が格段に向上する。
【００２１】
図４は他の実施形態のアイゼンの要部を示したもので、図１および図２に示したアイゼンとは、フロント装着枠部２の構造のみが異なる。この実施形態では、つま先側の枠部材２ａと連結部材４側の枠部材２ｂの両側面の連結部位に、接地側への折り曲げ部１９、１９がそれぞれ形成されている。そして、それぞれの枠部材２ａ、２ｂを、その連結部位を連結したときにフロント装着枠部２が連結部位の周りに可動となるように、所要の間隔をおいて対向させ、両側の折り曲げ部１９、１９を、接続片２０、２０を介して、ボルト２１およびナット２２で緩やかに、すなわちルース(loose)に締結して、フロント装着枠部２が実質的に撓むように形成されている。このようしてフロント装着部２を形成すれば、連結部ががたついて実質的に撓むため、氷雪域での歩行の際に、このアイゼンを装着した靴底が、アイゼンを装着しないときと同様に撓んで、靴底に付着した雪がダンゴ状に成長する前に剥がれ落ち、雪ダンゴの成長を防止することができる。
【００２２】
なお、前記チタン合金としては、Ｔｉ−６Ａｌ−４ｖなどのα−β合金、１５Ｖ−３Ｃｒ−３Ｓｎ−３Ａｌなどのβ型合金、α合金およびニアα合金のいずれの合金をも用いることが可能であり、いずれも、通常、焼鈍状態での使用で充分である。
【００２３】
また、図１から図４に開示した実施形態のアイゼンは、チタン金属のみならず、アルミ金属や鋼を用いて形成することも可能である。
【図面の簡単な説明】
【００２４】
【図１】この発明の実施形態のアイゼンの登山靴への装着側から見た斜視図である。
【図２】同上のアイゼンの接地側から見た斜視図である。
【図３】（ａ）、（ｂ）同上のアイゼンのヒール装着枠部の連結部材への係合動作を示す説明図である。
【図４】他の実施形態のアイゼンのフロント装着枠部の連結構造を示す斜視図である。
【図５】従来技術の雪ダンゴ付着防止機能を備えたアイゼンの分解斜視図である。
【符号の説明】
【００２５】
１：アイゼン          ２：フロント装着枠部        ３：ヒール装着枠部
３ｂ：ヒール押さえ金具      ４：連結部材  ４ａ、４ｂ：ストッパー
５：金属板                  ６：リベット        ７、７ａ、７ｂ：爪部
８、８ａ：装着バンド  ９、１０：アーム      １１：連結リング
１２：通し孔              １３：突起        １４：止め具
１５：係止板        １６、１７：ガイド部    １８：ピン
１９：折り曲げ部          ２０：接続片      ２１：ボルト
２２：ナット          Ｆ：フロント装着面      Ｓ：支持片  
【図１】
2007125304.tif 000003
【図２】
2007125304.tif 000004
【図３】
2007125304.tif 000005
【図４】
2007125304.tif 000006
【図５】
2007125304.tif 000007